【事件の表示】
　平成　８年特許願第　　７３７１号「画像処理装置」拒絶査定不服審判事件〔平成　９年　７月３１日出願公開，特開平　９−２００４１６〕について，次のとおり審決する。
【結　論】
　本件審判の請求は，成り立たない。
【理　由】
１．手続の経緯
　本願は，平成８年１月１９日の出願であって，平成１７年２月２２日付で拒絶査定がされ，これに対し，同年３月３１日に拒絶査定不服審判の請求がなされるとともに，同年４月２８日付で手続補正がなされたものである。
　
２．平成１７年４月２８日付の手続補正についての補正却下の決定
　［補正却下の決定の結論］
　　平成１７年４月２８日付の手続補正を却下する。
　［理由］
　（１）補正後の本願発明
　本件補正により，特許請求の範囲の請求項１は，
　「【請求項１】　コンピュータに接続可能な画像処理装置であって，
　原稿から画像データを読み取る画像読み取り手段と，
　画像データに基づいて記録紙に印刷を行う印刷手段と，
　接続されたコンピュータに画像データを送出するコンピュータインタフェースと，
　画像データを記憶する画像記憶手段と，
　前記画像記憶手段から画像データの読み出しを行う画像読み出し手段と，
　印刷部数を指定するための印刷部数指定手段と，
　画像を読み取って前記印刷手段により印刷する複写モード，および画像を読み取ってコンピュータへ出力する送信モードの指示を行うための操作部と，
　画像データの送出先を選択する画像データ制御手段と，
　前記印刷部数指定手段で指定された印刷部数が１部の時には，前記画像読み取り手段で読み取った画像データを前記画像データ制御手段から前記印刷手段へ送って前記印刷手段による印刷を行い，前記印刷部数指定手段で指定された印刷部数が２部以上の時には，前記画像読み取り手段で読み取った画像データを前記画像データ制御手段から前記画像記憶手段へ送って前記画像記憶手段に記憶させた後，前記画像読み出し手段により前記画像記憶手段に記憶された画像データを読み出して前記印刷手段に送る動作を前記印刷部数に対応して繰り返して前記印刷手段による印刷を行うよう制御する制御手段と，を有し，
　前記制御手段は，印刷部数が２部以上の時に前記画像読み取り手段で読み取った画像データを前記画像記憶手段に記憶させた後は，前記操作部による前記送信モードの指示を受付可能とするとともに，前記送信モードの指示に従って，前記画像記憶手段に記憶された画像データを読み出して前記印刷手段に送る動作を前記印刷部数に対応して繰り返して行う複数部の印刷と並行して，前記画像読み取り手段により読み取った画像データの送出先を前記コンピュータインタフェースとし，読み取った画像データをコンピュータへ送出するようにしたことを特徴とする画像処理装置。」と補正された。
　上記補正は，請求項１に記載した発明を特定するために必要な事項である２部以上の複写を実行する際の制御手段の動作を限定するとともに，読み取った画像データをコンピュータに送出する制御手段の動作を限定するものであって，特許法１７条の２第４項２号の特許請求の範囲の減縮を目的とするものに該当する。
　そこで，本件補正後の前記請求項１に記載された発明（以下，「本願補正発明」という。）が特許出願の際独立して特許を受けることができるものであるか（特許法１７条の２第５項において準用する同法１２６条５項の規定に適合するか）について以下に検討する。
  　
　（２）引用例
　原査定の拒絶の理由に引用された特開平０５−３４７６８８号公報（以下，「引用例」という。）には，図面と共に，次の記載が認められる。（記載箇所は，項目見出し又は段落番号を表記）
　ア　「【特許請求の範囲】
【請求項１】  送信時には，読取った原稿情報をデータ圧縮してメモリに蓄積した後，内蔵する通信手段により受信機側へ転送し，また，受信時には，受信データを伸長した後，ページメモリに蓄積し，記録部を駆動して記録出力するファクシミリ機能と，読取った原稿情報を通信路を介さずに，直接，前記記録部に出力するコピー機能とを有するファクシミリ装置において，データ転送路の切換え手段を設けて，該切換え手段により，複数原稿の複数枚コピー時には，読取った原稿情報をデータ圧縮してメモリに蓄積した後，前記記録部に出力するルートを選択し，単数原稿の複数枚コピー時には，読取った原稿情報を前記ページメモリに蓄積した後，前記記録部に出力するルートを選択し，単数原稿の１枚コピー時には，読取った原稿情報を直接前記記録部に出力するルートを選択する如く構成したことを特徴とするファクシミリ装置。
【請求項２】  前記単数原稿の複数枚コピー時に，前記ページメモリへの読取り原稿情報の蓄積と並行して，当該読取り原稿情報を直接，前記記録部に出力する如く構成したことを特徴とする請求項１記載のファクシミリ装置。」
　イ　「【０００４】
【課題を解決するための手段】本発明の上記目的は，・・・，単数原稿の複数枚コピー時には，読取った原稿情報を前記ページメモリに蓄積した後，前記記録部に出力するルートを選択し，単数原稿の１枚コピー時には，読取った原稿情報を直接前記記録部に出力するルートを選択する如く構成したことを特徴とするファクシミリ装置によって達成される。」
　ウ「【０００６】
【実施例】・・・１４は送信信号の変調，受信信号の復調を行うモデム，１５は通信回線との間の制御を行う網制御部(ＮＣＵ)を示している。」
　エ　「【０００８】次に，本実施例に係るファクシミリ装置におけるコピー時の特徴的な動作を，図１に示すフロー図に基づいて説明する。まず，コピーする原稿の枚数とコピー枚数をチェックする(ステップ21と22)。原稿が１枚，コピー枚数が１枚のときは，スキャナ部５から記録部６への直接接続路(ルートＡ)を選択し(ステップ23)，スキャナとプロッタを同期させて，動作させる(ステップ24)。これにより，原稿の読取りが終了した時点でコピーが完了し，複写機と同等の処理速度を達成することが可能になる。なお，この場合，セレクタｂ(１６ｂ)はルートＢ以外に，セレクタｃ(１６ｃ)はルートＡに，それぞれ，切換えられていることは言までもない。また，原稿が１枚で，コピー枚数が複数枚指定の場合には，記録部用ページメモリ１３への接続路(ルートＢ)を選択し(ステップ22と25)，スキャナ部５からのデータを，ページメモリ１３に直接入力する(ステップ26)。これにより，圧縮／伸長に要する時間が削減できるとともに，ページメモリ１３に格納された画データを繰り返し出力することにより，マルチコピー(ステップ29〜33)を実現することができる。」
　オ　「【０００９】・・・図３および図４は，本実施例の他の動作例を示すものであり，請求項２に対応するものである。上述の実施例との相異は，複数枚コピーの指定がある場合に，上述のルートＡとルートＢを並行動作させるようにした点にある。これにより，図４に示す如く，１枚目のコピーは原稿読取りと同時に実行できることになり，この分，処理時間の短縮が可能になる。図５は，本実施例の更に他の動作例を示すものであり，請求項３に対応するものである。前述の各実施例との相異は，メモリ送受信等，既に，ファクシミリ装置としての動作が行われている状態でコピー動作をスタートさせる場合においては，システム負荷をあまり増加させないようにする点にある。具体的には，装置が既にファクシミリ装置としての動作を開始しているときには，ステップ54やステップ55のチェックを入れた点が特徴である。」
　
　（３）対比
　そこで，本願補正発明と引用例に記載された発明（以下，「引用発明」という。）とを対比する。
　引用発明は，ファクシミリ装置であり，図２に示されるように，ＣＰＵを有するシステム制御部を備えていることから，一週のコンピュータとみることができ，網制御部（ＮＣＵ）に接続される相手方機器であるファクシミリ装置も同様にコンピュータを備えているとみることができるから，引用発明のファクシミリ装置は，本願補正発明の「コンピュータに接続可能な画像処理装置」に相当するといえる。
　本願補正発明で規定する「コンピュータインタフェース」については，引用例１には記載がないが，コンピュータシステムにおいて周辺機器と接続する際，インターフェースが必要であることは論をまたないから，引用発明においてもインターフェースを備えているとみることが可能である。
　引用発明のファクシミリ機能及びコピー機能は，本願補正発明の送信モード及び複写モードに対応しており，本願補正発明の印刷手段，画像読み出し手段，操作部や画像データ制御手段も引用発明に示されていることは，表現の相違はあるが，図２に及び対応する明細書の記載から当業者であれば普通に理解できることである。
　以上を踏まえると，本願補正発明と引用発明とは，次の一致点を有し，後記相違点が認められる。
　
【一致点】コンピュータに接続可能な画像処理装置であって，原稿から画像データを読み取る画像読み取り手段と，画像データに基づいて記録紙に印刷を行う印刷手段と，接続されたコンピュータに画像データを送出するコンピュータインタフェースと，画像データを記憶する画像記憶手段と，前記画像記憶手段から画像データの読み出しを行う画像読み出し手段と，印刷部数を指定するための印刷部数指定手段と，画像を読み取って前記印刷手段により印刷する複写モード，および画像を読み取ってコンピュータへ出力する送信モードの指示を行うための操作部と，画像データの送出先を選択する画像データ制御手段と，前記印刷部数指定手段で指定された印刷部数が１部の時には，前記画像読み取り手段で読み取った画像データを前記画像データ制御手段から前記印刷手段へ送って前記印刷手段による印刷を行い，前記印刷部数指定手段で指定された印刷部数が２部以上の時には，前記画像読み取り手段で読み取った画像データを前記画像データ制御手段から前記画像記憶手段へ送って前記画像記憶手段に記憶させた後，前記画像読み出し手段により前記画像記憶手段に記憶された画像データを読み出して前記印刷手段に送る動作を前記印刷部数に対応して繰り返して前記印刷手段による印刷を行うよう制御する制御手段と，を有したことを特徴とする画像処理装置。
　
【相違点】本願補正発明では，「制御手段は，印刷部数が２部以上の時に前記画像読み取り手段で読み取った画像データを前記画像記憶手段に記憶させた後は，前記操作部による前記送信モードの指示を受付可能とするとともに，前記送信モードの指示に従って，前記画像記憶手段に記憶された画像データを読み出して前記印刷手段に送る動作を前記印刷部数に対応して繰り返して行う複数部の印刷と並行して，前記画像読み取り手段により読み取った画像データの送出先を前記コンピュータインタフェースとし，読み取った画像データをコンピュータへ送出する」のに対し，引用発明では，複数部の印刷と並行して処理を行う点が明記されていない点。
　
　（４）相違点についての判断
　引用例には，前掲オの箇所に，「図３および図４は，本実施例の他の動作例を示すものであり，請求項２に対応するものである。上述の実施例との相異は，複数枚コピーの指定がある場合に，上述のルートＡとルートＢを並行動作させるようにした点にある。これにより，図４に示す如く，１枚目のコピーは原稿読取りと同時に実行できること」が記載されており，並行処理が公知の手段であることが理解できる。
　さらに続けて引用例には，「図５は，本実施例の更に他の動作例を示すものであり，請求項３に対応するものである。前述の各実施例との相異は，メモリ送受信等，既に，ファクシミリ装置としての動作が行われている状態でコピー動作をスタートさせる場合においては，システム負荷をあまり増加させないようにする点にある。具体的には，装置が既にファクシミリ装置としての動作を開始しているときには，ステップ54やステップ55のチェックを入れた点が特徴である。」と記載され，ファクシミリ機能の動作中にコピー機能を動作させることが明記されている。
　してみれば，引用発明のファクシミリ装置としての動作が行われている状態でコピー動作を開始することが示されているから，コピー動作が行われている状態でファクシミリ装置としての動作を開始できるようにすること，すなわち上記相違点の構成は，当業者が容易になし得たことである。
　そして，本願補正発明の作用効果も，引用例に示された技術から当業者が予測できる範囲のものである。
　したがって，本願補正発明は，引用例に記載された発明に基づいて，当業者が容易に発明をすることができたものであるから，特許法２９条２項の規定により特許出願の際独立して特許を受けることができないものである。
　
　（５）むすび
　したがって，本件補正は，特許法１７条の２第５項において準用する同法１２６条５項の規定に違反するものであるから，同法１５９条１項の規定において読み替えて準用する同法５３条１項の規定により却下すべきものである。
　
３．本願発明について
　平成１７年４月２８日付の手続補正は上記のとおり却下されたので，本願の請求項１に係る発明（以下，「本願発明」という。）は，平成１６年８月２０日付手続補正書の特許請求の範囲の請求項１に記載された事項により特定される，以下のとおりのものである。
　「【請求項１】　コンピュータに接続可能な画像処理装置であって，
　原稿から画像データを読み取る画像読み取り手段と，
　画像データに基づいて記録紙に印刷を行う印刷手段と，
　接続されたコンピュータに画像データを送出するコンピュータインタフェースと，
　画像データを記憶する画像記憶手段と，
　前記画像記憶手段から画像データの読み出しを行う画像読み出し手段と，
　印刷部数を指定するための印刷部数指定手段と，
　画像を読み取って前記印刷手段により印刷する複写モード，および画像を読み取ってコンピュータへ出力する送信モードの指示を行うための操作部と，
　画像データの送出先を選択する画像データ制御手段と，
　前記印刷部数指定手段で指定された印刷部数が１部の時には，前記画像読み取り手段で読み取った画像データを前記画像データ制御手段から前記印刷手段へ送って前記印刷手段による印刷を行い，前記印刷部数指定手段で指定された印刷部数が２部以上の時には，前記画像読み取り手段で読み取った画像データを前記画像データ制御手段から前記画像記憶手段へ送って前記画像記憶手段に記憶させ，前記画像読み出し手段により前記画像記憶手段に記憶された画像データを読み出して前記印刷手段に送ることで前記印刷手段による印刷を行うよう制御する制御手段と，を有し，
　前記制御手段は，印刷部数が２部以上の時に前記画像読み取り手段で読み取った画像データを前記画像記憶手段に記憶させた後は，前記操作部による前記送信モードの指示を受付可能とし，前記送信モードの指示に従って，前記画像記憶手段，前記画像読み出し手段，および前記印刷手段による複数部の印刷と並行して，前記画像読み取り手段，前記画像データ制御手段，および前記コンピュータインタフェース部による，読み取った画像データのコンピュータへの送出を行うようにしたことを特徴とする画像処理装置。」
　
　（１）引用例
　原査定の拒絶の理由に引用された引用例，及びその記載事項は，前記「２．（２）」に記載したとおりである。　
　
　（２）対比・判断
　本願発明は，前記２．で検討した本願補正発明から「２部以上の複写を実行する際の制御手段の動作を限定するとともに，読み取った画像データコンピュータに送出する制御手段の動作を限定する」構成を省いたものである。
　そうすると，本願発明の構成要件をすべて含み，さらに他の構成要件を付加したものに相当する本願補正発明が，前記２．（４）に記載したとおり，引用例に基づいて，当業者が容易に発明をすることができたものであるから，本願発明も同様の理由により，引用例に基づいて，当業者が容易に発明をすることができたものである。　
　
　（３）むすび
　以上のとおり，本願発明は，引用例に記載された発明に基づいて，当業者が容易に発明をすることができたものであるから，特許法２９条２項の規定により特許を受けることができない。
　よって，結論のとおり審決する。